(57)【要約】      （修正有）【課題】梁及び野縁受への取付作業が困難になることを防止できる天井吊り金具を提供する。【解決手段】躯体構造の中間天井吊り金具２３は、本体３８と、梁ネジ孔３９に螺合し且つ固定溝４７と協働して本体３８にＨ形梁のフランジ又はＣ形梁のフランジを固定する梁ネジ３９と、野縁受孔４６に螺合する野縁受ネジ４０と、野縁受ネジ４０に螺合し且つ野縁受ネジ４０と協働して本体３８に野縁受を固定する４つの野縁受ナット４１、４２と、を備え、固定溝４７は、第１水平方向８に延び且つ第１水平方向８の一方向き８Ａに鉛直部４４の外部へ開口する水平溝４８と、水平溝４８に開口し且つ上下方向７に延びる鉛直溝４９と、を有し、梁ネジ孔４５は、第１水平方向８において固定溝４７と重なる位置にあり、野縁受孔４６は、第１水平方向８において固定溝４７よりも第１水平方向８の他方向き８Ｂに離れた位置にある。【選択図】図４
2018119326.tif 000002
【特許請求の範囲】
【請求項１】
梁ネジ孔及び野縁受孔を有し且つ第１方向に沿って延びる第１板状部、及び、上記第１板状部と垂直な第２方向に沿って延び且つ固定溝を有する第２板状部を備える本体と、
上記梁ネジ孔に螺合する梁ネジと、
上記野縁受孔に螺合する野縁受ネジと、
上記野縁受ネジに螺合する複数の野縁受ナットと、を備えており、
上記固定溝は、上記第１方向に延び且つ上記第１方向の一方向きに上記第２板状部の外部へ開口する第１溝と、上記第１溝に開口し且つ上記第２方向に延びる第２溝と、を有し、
上記梁ネジ孔は、上記第１方向において上記第１溝と重なる位置にあり、
上記野縁受孔は、上記第１方向において上記第１溝よりも上記第１方向の他方向きに離れた位置にある天井吊り金具。
【請求項２】
上記第１溝は、上記第１方向において上記第２溝を所定距離だけ超えて形成され、上記第１溝と上記第２溝とを合わせた形状は、Ｔ字形状である請求項１に記載の天井吊り金具。
【請求項３】
最上階の天井下地材を支持する最上構造部分と、上記最上階を除く他の階の上記天井下地材を支持する中間構造部分と、を備える多階層建物の躯体構造であって、
上記最上構造部分は、フランジを有するＨ形梁と、上記Ｈ形梁に固定され且つフランジ及びリップを有するＣ形梁と、上記Ｈ形梁及び上記Ｃ形梁のそれぞれに固定された最上天井吊り金具と、上記最上天井吊り金具に固定された野縁受と、上記野縁受及び上記天井下地材に固定された野縁と、を備えており、
上記中間構造部分は、上記Ｈ形梁と、上記Ｃ形梁と、上記Ｈ形梁及び上記Ｃ形梁のそれぞれに固定された中間天井吊り金具と、上記中間天井吊り金具に固定された上記野縁受と、上記野縁受及び上記天井下地材に固定された野縁と、を備えており、
上記最上天井吊り金具及び上記中間天井吊り金具はそれぞれ、
梁ネジ孔及び野縁受孔を有し且つ水平方向に沿って延びる水平部、及び、上記水平部と垂直な上下方向に沿って延び且つ固定溝を有する鉛直部を備える本体と、
上記梁ネジ孔に螺合し且つ上記固定溝と協働して上記本体に上記Ｈ形梁又は上記Ｃ形梁のフランジを固定する上記梁ネジと、
上記野縁受孔に螺合する野縁受ネジと、
上記野縁受ネジに螺合し且つ上記野縁受ネジと協働して上記本体に上記野縁受を固定する複数の野縁受ナットと、を備えており、
上記固定溝は、上記水平方向に延び且つ上記水平方向の一方向きに上記鉛直部の外部へ開口する水平溝と、上記水平溝に開口し且つ上記上下方向に延びる鉛直溝と、を有し、
上記梁ネジ孔は、上記水平方向において上記固定溝と重なる位置にあり、
上記野縁受孔は、上記水平方向において上記固定溝よりも上記水平方向の他方向きに離れた位置にあり、
上記中間天井吊り金具は、上記野縁受ネジと上記水平部との間に配置された防振ゴム部材を有する多階層建物の躯体構造。
【請求項４】
上記最上天井吊り金具は、上記水平部である第１水平部、第２水平部、及び第３水平部と、上記鉛直部である第１鉛直部及び第２鉛直部を有しており、
上記第１水平部、上記第１鉛直部、上記第２水平部、上記第２鉛直部、及び上記第３水平部が順に接続されており、
上記第１水平部に上記第３水平部が重ねられている請求項３に記載の多階層建物の躯体構造。
【請求項５】
上記中間天井吊り金具の上記鉛直部の表面には、凹凸が形成されている請求項３又は４に記載の多階層建物の躯体構造。
【請求項６】
上記最上天井吊り金具及び上記中間天井吊り金具の少なくとも一方において、上記水平溝は、上記水平方向において上記鉛直溝を所定距離だけ超えて形成され、上記水平溝と上記鉛直溝とを合わせた形状は、Ｔ字形状である請求項３から５のいずれかに記載の多階層建物の躯体構造。
【請求項７】
上記最上構造部分及び上記中間構造部分の少なくとも一方において上記Ｈ形梁及び上記Ｃ形梁が直列に配置されており、上記水平方向における上記Ｃ形梁の上記リップの端面と上記水平方向における上記Ｈ形梁の上記フランジの端面との離間距離が、上記所定距離と同一または上記所定距離よりも小さい請求項６に記載の多階層建物の躯体構造。
【発明の詳細な説明】
【技術分野】
【０００１】
本発明は、天井吊り金具及び多階層建物の躯体構造に関する。
【背景技術】
【０００２】
従来、Ｈ形梁に固定され且つ野縁及び野縁受を介して天井下地材を吊り下げる天井吊り金具の一例が、特許文献１に開示されており、Ｃ形梁に固定され且つ野縁及び野縁受を介して天井下地材を吊り下げる天井吊り金具（以下、金具）の一例が、特許文献２に開示されている。
【先行技術文献】
【特許文献】
【０００３】
【特許文献１】特開平９−２２８５４１
【特許文献２】特開平１０−１０２６７０
【発明の概要】
【発明が解決しようとする課題】
【０００４】
複数種類の金具が存在していると、以下のような問題が発生する。まず、梁がＨ形梁又はＣ形梁であるかに応じて、対応する金具を探す手間が発生する。また、Ｈ形梁用の金具とＣ形梁用の金具との間で、梁及び野縁受への取付手順及び取付角度が異なっている。そのため、例えば、同一の野縁受にＨ形梁用の金具とＣ形梁用の金具とが同時に取り付けられる場合に、通常と異なる取付手順が要求されたり、通常と異なる無理な取付角度で金具の取付が行われる場合が発生する。つまり、金具の取付作業が困難になっている。さらに、複数種類の金具を準備しておく必要があるため、金具の在庫管理を含む建物の製造コストの抑制が困難である。
【０００５】
本発明は、前述された事情に鑑みてなされたものであり、その目的は、梁及び野縁受への取付作業が困難になることを防止できる天井吊り金具を提供することである。
【課題を解決するための手段】
【０００６】
(1)  本発明に係る天井吊り金具は、梁ネジ孔及び野縁受孔を有し且つ第１方向に沿って延びる第１板状部、及び、上記第１板状部と垂直な第２方向に沿って延び且つ固定溝を有する第２板状部を備える本体と、上記梁ネジ孔に螺合する梁ネジと、上記野縁受孔に螺合する野縁受ネジと、上記野縁受ネジに螺合する複数の野縁受ナットと、を備えており、上記固定溝は、上記第１方向に延び且つ上記第１方向の一方向きに上記第２板状部の外部へ開口する第１溝と、上記第１溝に開口し且つ上記第２方向に延びる第２溝と、を有し、上記梁ネジ孔は、上記第１方向において上記第１溝と重なる位置にあり、上記野縁受孔は、上記第１方向において上記第１溝よりも上記第１方向の他方向きに離れた位置にある。
【０００７】
上記構成によれば、第２板状部が第１溝及び第２溝を有するので、Ｈ形梁及びＣ形梁のフランジが第１溝内に挿入可能であり、Ｃ形梁のリップが第２溝内に挿入可能である。そのため、上記構成に係る天井吊り金具は、Ｈ形梁及びＣ形梁のいずれにも固定可能である。Ｈ形梁用の天井吊り金具及びＣ形梁用の天井吊り金具を併存させる必要がないので、天井吊り金具の取付作業の複雑化が防止される。
【０００８】
(2)  好ましくは、上記第１溝は、上記第１方向において上記第２溝を所定距離だけ超えて形成され、上記第１溝と上記第２溝とを合わせた形状は、Ｔ字形状である。
【０００９】
上記構成によれば、上記第１溝は、上記第１方向において上記第２溝を所定距離だけ超えて形成されているので、Ｈ形梁のフランジの端面が第１溝に当接する位置と、Ｃ形梁のリップの表面が第２溝に当たる位置とが異なっている。そのため、同一の野縁受が天井吊り金具を介して直列に配置されたＨ形梁及びＣ形梁に支持される場合に、Ｃ形梁のリップの端面がＨ形梁のフランジの端面から離れていても、この離間距離に合わせて所定距離を設定することで、同一種類の天井吊り金具により無理なく野縁受がＨ形梁及びＣ形梁の双方に支持される。
【００１０】
(3)  本発明に係る多階層建物の躯体構造は、最上階の天井下地材を支持する最上構造部分と、上記最上階を除く他の階の上記天井下地材を支持する中間構造部分と、を備える多階層建物の躯体構造であって、上記最上構造部分は、フランジを有するＨ形梁と、上記Ｈ形梁に固定され且つフランジ及びリップを有するＣ形梁と、上記Ｈ形梁及び上記Ｃ形梁のそれぞれに固定された最上天井吊り金具と、上記最上天井吊り金具に固定された野縁受と、上記野縁受及び上記天井下地材に固定された野縁と、を備えており、上記中間構造部分は、上記Ｈ形梁と、上記Ｃ形梁と、上記Ｈ形梁及び上記Ｃ形梁のそれぞれに固定された中間天井吊り金具と、上記中間天井吊り金具に固定された上記野縁受と、上記野縁受及び上記天井下地材に固定された野縁と、を備えており、上記最上天井吊り金具及び上記中間天井吊り金具はそれぞれ、梁ネジ孔及び野縁受孔を有し且つ水平方向に沿って延びる水平部、及び、上記水平部と垂直な上下方向に沿って延び且つ固定溝を有する鉛直部を備える本体と、上記梁ネジ孔に螺合し且つ上記固定溝と協働して上記本体に上記Ｈ形梁又は上記Ｃ形梁のフランジを固定する上記梁ネジと、上記野縁受孔に螺合する野縁受ネジと、上記野縁受ネジに螺合し且つ上記野縁受ネジと協働して上記本体に上記野縁受を固定する複数の野縁受ナットと、を備えており、上記固定溝は、上記水平方向に延び且つ上記水平方向の一方向きに上記鉛直部の外部へ開口する水平溝と、上記水平溝に開口し且つ上記上下方向に延びる鉛直溝と、を有し、上記梁ネジ孔は、上記水平方向において上記固定溝と重なる位置にあり、上記野縁受孔は、上記水平方向において上記固定溝よりも上記水平方向の他方向きに離れた位置にあり、上記中間天井吊り金具は、上記野縁受ネジと上記水平部との間に配置された防振ゴム部材を有する。
【００１１】
上記構成によれば、鉛直部が水平溝及び鉛直溝を有するので、Ｈ形梁のフランジ及びＣ形梁のフランジ及びリップが水平溝内に挿入可能であり、Ｃ形梁のリップが鉛直溝内に挿入可能である。そのため、上記構成に係る天井吊り金具は、Ｈ形梁及びＣ形梁のいずれにも固定可能である。Ｈ形梁用の天井吊り金具及びＣ形梁用の天井吊り金具を併存させる必要がないので、天井吊り金具の取付作業の複雑化が防止される。また、天井及び床を支持する中間構造部分に設けられた中間天井吊り金具が防振ゴム部材を備えるので、防振ゴム部材により、床に加えられた振動が低減され、この振動の天井への伝達が抑制される。
【００１２】
(4)  好ましくは、上記最上天井吊り金具は、上記水平部である第１水平部、第２水平部、及び第３水平部と、上記鉛直部である第１鉛直部及び第２鉛直部を有しており、上記第１水平部、上記第１鉛直部、上記第２水平部、上記第２鉛直部、及び上記第３水平部が順に接続されており、上記第１水平部に上記第３水平部が重ねられている。
【００１３】
上記構成によれば、第１水平部、第１鉛直部、第２水平部、第２鉛直部、及び第３水平部が順に接続され、第１水平部に第３水平部が重ねられているので、板状に構成された最上天井吊り金具の剛性が強化されている。天井下地材を支持するのに要する剛性を失うことなく最上天井吊り金具の高さが低減されるので、最上構造部分の高さの増大が抑制される。
【００１４】
(5)  好ましくは、上記中間天井吊り金具の上記鉛直部の表面には、凹凸が形成されている。
【００１５】
上記構成によれば、鉛直部の表面には、凹凸が形成されているので、中間天井吊り金具の剛性が強化されている。そのため、天井下地材を支持するのに要する剛性を失うことなく中間天井吊り金具の構造の複雑化が抑制される。
【００１６】
(6)  好ましくは、上記最上天井吊り金具及び上記中間天井吊り金具の少なくとも一方において、上記水平溝は、上記水平方向において上記鉛直溝を所定距離だけ超えて形成され、上記水平溝と上記鉛直溝とを合わせた形状は、Ｔ字形状である。
【００１７】
上記構成によれば、上記水平溝は、上記水平方向において上記鉛直溝を所定距離だけ超えて形成されているので、Ｈ形梁のフランジの端面が水平溝に当接する位置と、Ｃ形梁のリップの表面が鉛直溝に当たる位置とが異なっている。そのため、同一の野縁受が天井吊り金具を介して直列に配置されたＨ形梁及びＣ形梁に支持される場合に、Ｃ形梁のリップの端面がＨ形梁のフランジの端面から離れていても、この離間距離に合わせて所定距離を設定することで、同一種類の天井吊り金具により無理なく野縁受がＨ形梁及びＣ形梁の双方に支持される。
【００１８】
(7)  好ましくは、上記最上構造部分及び上記中間構造部分の少なくとも一方において上記Ｈ形梁及び上記Ｃ形梁が直列に配置されており、上記水平方向における上記Ｃ形梁の上記リップの端面と上記水平方向における上記Ｈ形梁の上記フランジの端面との離間距離が、上記所定距離と同一または当該所定距離よりも小さい。
【００１９】
上記構成によれば、水平溝が鉛直溝を超えた所定距離が、直列に配置されたＣ形梁及びＨ形梁の端面間の離間距離と同一又は当該離間距離よりも小さい。ここで、中間天井吊り金具のＣ形梁に対する取付位置は、鉛直溝の水平方向における幅内に限定され、中間天井吊り金具のＨ形梁に対する取付位置は、水平溝の水平方向における幅内に限定される。中間天井吊り金具のＨ形梁に対する取付位置は、水平方向の一方向きには梁ネジ孔から外れない範囲で自由に変更でき、水平方向の他方向きには所定距離の範囲内で自由に変更できる。離間距離が所定距離と同一または当該所定距離よりも小さいので、中間天井吊り金具のＨ形梁に対する取付位置を変更することにより、Ｃ形梁に固定された中間天井吊り金具の位置とＨ形梁に固定された中間天井吊り金具の位置とが水平方向において揃えられる。Ｃ形梁に固定された中間天井吊り金具の位置とＨ形梁に固定された中間天井吊り金具の位置とが水平方向において揃うと、同一の野縁受がＣ形梁に固定された中間天井吊り金具とＨ形梁に固定された中間天井吊り金具との双方に歪み無く取り付けられる。そのため、同一種類の天井吊り金具により無理なく野縁受がＨ形梁及びＣ形梁の双方に支持されうる。
【発明の効果】
【００２０】
本発明に係る天井吊り金具は、梁及び野縁受への取付作業が困難になることを防止できる。
【図面の簡単な説明】
【００２１】
【図１】図１は、本発明の実施形態に係る多階層建物の躯体構造１００を示す正面図である。
【図２】図２は、本発明の本実施形態に係る第１中間構造部分１３を第２水平方向９から視た図である。
【図３】図３は、本発明の本実施形態に係る第１中間構造部分１３を第１水平方向８から視た図である。
【図４】図４は、本発明の本実施形態に係る中間天井吊り金具２３の斜視図である。
【図５】図５は、本発明の本実施形態に係る第１中間構造部分１３の斜視図である。
【図６】図６は、本発明の本実施形態に係る第１中間構造部分１３を第２水平方向９から視た図である。
【図７】図７は、本発明の本実施形態に係る第１中間構造部分１３を第１水平方向８から視た図である。
【図８】図８は、本発明の本実施形態に係る最上構造部分１５を第２水平方向９から視た図である。
【図９】図９は、本発明の本実施形態に係る最上構造部分１５を第１水平方向８から視た図である。
【図１０】図１０は、本発明の本実施形態に係る最上天井吊り金具６４の斜視図である。
【図１１】図１１は、本発明の本実施形態に係る最上構造部分１５の斜視図である。
【図１２】図１２は、本発明の本実施形態に係る最上構造部分１５を第２水平方向９から視た図である。
【図１３】図１３は、本発明の本実施形態に係る最上構造部分１５を第１水平方向８から視た図である。
【図１４】図１４は、本発明の本実施形態に係る第１中間構造部分においてＨ形梁２１及びＣ形梁２２が直列に配置された構造部分を示す平面図である。
【図１５】図１５は、本発明の本実施形態に係る第１中間構造部分においてＨ形梁２１及びＣ形梁２２が直列に配置された構造部分における第１水平方向の位置関係を示す図である。
【発明を実施するための形態】
【００２２】
以下、本発明の好ましい実施形態が説明される。なお、各実施形態は、本発明の一実施態様にすぎず、本発明の要旨を変更しない範囲で実施態様が変更できることは言うまでもない。
【００２３】
［実施形態に係る多階層建物の躯体構造１００］
図１を参照して、本発明の実施形態に係る多階層建物の躯体構造１００が説明される。本実施形態に係る多階層建物は、３階層の建物である。躯体構造１００は、基礎１０、複数の柱１１、最下構造部分１２、第１中間構造部分１３、第２中間構造部分１４、及び最上構造部分１５を備えている。最下構造部分１２と第１中間構造部分１３との間に、１階の室内１６が構成されている。第１中間構造部分１３と第２中間構造部分１４との間に、２階の室内１７が構成されている。第２中間構造部分１４と最上構造部分１５との間に、３階の室内１８が構成されている。
【００２４】
図１に示されるように、最下構造部分１２は、１階の床下地材１９を複数の柱１１に対して支持する水平構造部分である。第１中間構造部分１３は、１階の天井下地材２０及び２階の床下地材１９を複数の柱１１に対して支持する水平構造部分である。第２中間構造部分１４は、２階の天井下地材２０及び３階の床下地材１９を複数の柱１１に対して支持する水平構造部分である。最上構造部分１５は、３階の天井下地材２０を複数の柱１１に対して支持する水平構造部分である。第１中間構造部分１３、第２中間構造部分１４、及び最上構造部分１５はいずれも、複数のＨ形梁２１（図２、図８等）及び複数のＣ形梁２２（図５、図１１等）を備えている。
【００２５】
第１中間構造部分１３及び第２中間構造部分１４は、中間天井吊り金具２３を備えている。最上構造部分１５は、最上天井吊り金具６４を備えている。中間天井吊り金具２３及び最上天井吊り金具６４はいずれも、天井下地材２０をＨ形梁２１又はＣ形梁２２に吊り下げる金具である。中間天井吊り金具２３の構造と最上天井吊り金具６４の構造とは部分的に異なっているため、これらの金具２３、６４には異なる符号が付されている。
【００２６】
図２から図７を参照して、第１中間構造部分１３が説明される。第１中間構造部分１３は、Ｈ形梁２１（図２、図３、図５）と、Ｃ形梁２２（図５から図７）と、を備えている。第１中間構造部分１３は、天井下地材２０がＣ形梁２２を介することなくＨ形梁２１に支持される構造部分と、天井下地材２０がＣ形梁２２を介してＨ形梁２１に支持される構造部分と、を有している。
【００２７】
以下の説明では、施工された多階層建物の姿勢を基準として、上下方向７が定義されている。また、上下方向７に直交する水平面内に含まれる２つの方向として、第１水平方向８及び第２水平方向９が定義されている。第１水平方向８及び第２水平方向９は互いに直交する方向である。第１水平方向８は、Ｈ形梁２１又はＣ形梁の短手方向として定義されており、第２水平方向９は、Ｈ形梁２１又はＣ形梁の長手方向として定義されている。したがって、上下方向７は、全図において同一の方向であるが、第１水平方向８及び第２水平方向９は図毎に定義された方向であり、異なる図の間では第１水平方向８及び第２水平方向９が異なる場合がある。
【００２８】
まず、第１中間構造部分１３において、天井下地材２０がＣ形梁２２を介することなくＨ形梁２１に支持される構造部分が、説明される。この構造部分では、図２、図３に示されるように、第１中間構造部分１３は、Ｈ形梁２１と、Ｈ形梁２１に固定された中間天井吊り金具２３と、中間天井吊り金具２３に固定された野縁受２４と、野縁受２４及び天井下地材２０に固定された野縁２５と、を備えている。
【００２９】
図２、図３、図５に示されるように、Ｈ形梁２１は、長手のＨ形鋼である。Ｈ形梁２１は、長手方向に沿って延びる平行な板状部分である２つのフランジ２６と、長手方向に沿って延び且つ２つのフランジ２６の中央部同士を連結するウェブ２７と、を備えている。
【００３０】
図２、図３、図５に示されるように、野縁受２４は、長手の溝形綱である。野縁受２４は、長手方向に沿って延びる平行な板状部分である２つのフランジ２８と、長手方向に沿って延び且つ２つのフランジ２８の端部同士を連結するウェブ２９と、を備えている。フランジ２８には、長手方向に沿って間隔を空けてボルト挿通孔２８ａ（図５）が形成されている。
【００３１】
図２、図３に示されるように、野縁２５は、矩形状の断面を有する長手の筒材である。野縁２５は、２つの板状の当接部３０と、２つの板状の取付部３１と、を有している。当接部３０及び取付部３１は交互に位置している。１つの当接部３０は野縁受２４のフランジ２８に当接している。取付部３１の外面には、長手方向に沿って係止溝３２が形成されている。
【００３２】
図２、図３に示されるように、天井下地材２０は、矩形の板状部材であり、例えば石膏ボードである。天井下地材２０は、野縁２５の当接部３０に当接した状態で、ビスによって野縁２５に固定される。
【００３３】
図２、図３に示されるように、第１中間構造部分１３は、野縁２５を野縁受２４に固定する野縁支持具３３を備えている。野縁支持具３３は、板状の支持具本体３４と、２つの板状の野縁取付部３５と、２つの鉤状の野縁受取付部３６と、を備えている。２つの野縁取付部３５は、支持具本体３４の両端部からそれぞれ突出している。支持具本体３４及び２つの野縁取付部３５の全体形状は、溝形状となっている。各野縁取付部３５は、内側に突出する突出部３７を有している。支持具本体３４に野縁２５の当接部３０が当接した状態で、各突出部３７が野縁２５の各係止溝３２に係合することで、野縁２５が野縁支持具３３に固定される。２つの野縁受取付部３６は、野縁取付部３５が支持具本体３４から突出する向きとは反対の向きに、支持具本体３４から突出している。各野縁受取付部３６は鉤状であり、各野縁受取付部３６と支持具本体３４との間に野縁受２４のフランジ２８を挿入することで、野縁受取付部３６はフランジ２８に係合できる。このようにして野縁支持具３３が野縁受２４に固定されるので、結果として、野縁２５が野縁受２４に固定される。
【００３４】
図２から図４に示されるように、中間天井吊り金具２３は、本体３８、梁ネジ３９、野縁受ネジ４０、野縁受ナット４１、２つの野縁受ナット４２、及び防振ゴム部材５４を備えている。
【００３５】
本体３８は、水平部４３（第１板状部の一例）及び２つの鉛直部４４（第２板状部の一例）を有している。
【００３６】
水平部４３は、矩形の板状部分であり、第１水平方向８（第１方向の一例）に沿って延びている。水平部４３は、上下方向７に延びる梁ネジ孔４５及び野縁受孔４６を有している。梁ネジ孔４５の内周面にはネジが形成されており、梁ネジ孔４５には梁ネジ３９が螺合可能である。野縁受孔４６には、野縁受ネジ４０が挿通可能である。梁ネジ孔４５及び野縁受孔４６は、第１水平方向８に沿って離間して位置している。
【００３７】
各鉛直部４４は、台形状の板状部分であり、水平部４３の第２水平方向９の端部から上下方向７（第２方向の一例）に沿って延びている。２つの鉛直部４４は互いに平行である。各鉛直部４４は、第１水平方向８の一方向き８Ａに開口する固定溝４７を有している。各鉛直部４４の第２水平方向９の外向きの表面には凸部５０が形成され、各鉛直部４４の第２水平方向９の井内向きの表面には凹部５１が形成されている。例えば、鉛直部４４をプレス加工することにより、凸部５０及び凹部５１が鉛直部４４に形成される。鉛直部４４に凸部５０及び凹部５１が形成されることにより、凸部５０及び凹部５１が形成されない場合と比べて、鉛直部４４の剛性が強化されている。
【００３８】
図４に示されるように、固定溝４７は、水平溝４８（第１溝の一例）及び鉛直溝４９（第２溝の一例）を有している。水平溝４８は、第１水平方向８に延びている。水平溝４８は、第１水平方向８の一方向き８Ａに鉛直部４４の外部へ開口している。鉛直溝４９は、上下方向７に延びている。鉛直溝４９は、水平溝４８に開口しており、すなわち水平溝４８につながっている。水平溝４８は水平部４３の上方に位置し、鉛直溝４９は水平部４８の上方に位置している。
【００３９】
水平溝４８は、端面４８ａ、上面４８ｂ、上面４８ｃ、及び下面４８ｄを有する。端面４８ａは、第１水平方向８において一方向き８Ａと反対の他方向き８Ｂに位置し、上下方向７に延びる面である。２つの上面４８ｂ及び上面４８ｃと、下面４８ｃとは、それぞれ、第１水平方向８に延び且つ上下方向７において対向する面である。上面４８ｂは鉛直溝４９よりも一方向き８Ａに位置し、上面４８ｃは鉛直溝４９よりも他方向き８Ｂに位置する。
【００４０】
鉛直溝４９は、他方面４９ａ、一方面４９ｂ、及び端面４９ｃを有する。他方面４９ａ及び一方面４９ｂは、上下方向７に延び且つ第１水平方向８において対向する面である。他方面４９ａは鉛直溝４９の他方向き８Ｂに位置し、一方面４９ｂは鉛直溝４９の一方向き８Ａに位置する。
【００４１】
水平溝４８は、第１水平方向８において、鉛直溝４９を所定距離１０１（図４参照）だけ超えて形成されている。すなわち、水平溝４８の端面４８ａと鉛直溝４９の他方面４９ａとの距離が、所定距離１０１である。したがって、第２水平方向９から視て、水平溝４８及び鉛直溝４９が合わせられた固定溝４７の全体形状は、逆Ｔ字状である。
【００４２】
水平部４３の梁ネジ孔４５は、第１水平方向８において固定溝４７と重なる位置にある。一方、水平部４３の野縁受孔４６は、固定溝４７よりも第１水平方向８の他方向き８Ｂに離れた位置にある。他方向き８Ｂは、一方向き８Ａとは反対の向きである。つまり、梁ネジ孔４５に螺合した梁ネジ３９は、第１水平方向８において固定溝４７と重なる位置にあるが、野縁受孔４６に螺合した野縁受ネジ４０は、第１水平方向８において固定溝４７と重なる位置にない。
【００４３】
梁ネジ３９は、ネジが形成された軸部５２と、軸部５２の一端部に固定された頭部５３と、を有する。
【００４４】
野縁受ネジ４０は、ネジが形成された軸部である。野縁受ネジ４０には、３つの野縁受ナット４１が螺合されている。
【００４５】
防振ゴム部材５４は、ゴム製の筒状部材である。防振ゴム部材５４の上端部の内側には、円環状の皿バネ座金５５が嵌め込まれている。皿バネ座金５５の上側には、野縁受ナット４１が回転可能に支持されている。なお、野縁受ナット４１は、皿バネ座金５５に支持されることなく、皿バネ座金５５とは別体であってもよい。防振ゴム部材５４の下端部の外側には、矩形の板状の外形を有する角座金５６が嵌め込まれている。角座金５６は、例えばカシメ加工により水平部４３の上面に固定されている。そのため、皿バネ座金５５、防振ゴム部材５４、及び角座金５６の全体が本体３８に固定されている。また、皿バネ座金５５、防振ゴム部材５４、皿バネ座金５５、及び水平部４３に野縁受ネジ４０が挿入され、野縁受ネジ４０の上端部に野縁受ナット４１が螺合されている。このようにして、野縁受ネジ４０が防振ゴム部材５４を介して本体３８に吊り下げ支持されている。２つの鉛直部４４の上端面４４ａ（図４参照）は、防振ゴム部材５４の上面、野縁受ナット４１の上面、及び野縁受ネジ４０の上端面よりも、上方に位置する。
【００４６】
２つの野縁受ナット４２は、水平部４３の下方に位置している。野縁受ナット４２は、フランジナットであり、円環状のフランジ部５７を有している。
【００４７】
図２、図３に示されるように、中間天井吊り金具２３は、Ｈ形梁２１に固定され、野縁受２４を支持している。
【００４８】
中間天井吊り金具２３は、Ｈ形梁２１に以下のようにして固定されている。固定溝４７の水平溝４８の上下方向７に沿った幅は、Ｈ形梁２１のフランジ２６の上下方向７に沿った幅よりも大きい。したがって、水平溝４８内に、Ｈ形梁２１のフランジ２６が第１水平方向８に沿って挿入可能である。フランジ２６は、例えば、固定溝４７の第１水平方向８の端面４８ａに当接する位置まで、水平溝４８内に挿入される。この状態で、梁ネジ３９が水平部４３の梁ネジ孔４５に取り付けられて締め付けられることで、梁ネジ３９の軸部５２の上面がフランジ２６の下面２６ｂに当接する。フランジ２６の上面２６ａが水平溝４８の上面４８ｂ、４８ｃに当接するまで梁ネジ３９が締め付けられる。このようにして、梁ネジ３９は、水平溝４８と協働して、本体３８にＨ形梁２１を固定する。
【００４９】
中間天井吊り金具２３は、野縁受２４を以下のようにして支持している。野縁受２４の上方のフランジ２８のボルト挿通孔２８ａに、予め野縁受ナット４２が取り付けられた野縁受ネジ４０が挿通される。この状態で、野縁受ネジ４０に下方から野縁受ナット４２が取り付けられる。いずれか一方の野縁受ナット４２が締め付けられることで、２つの野縁受ナット４２同士が接近する。このようにして、２つの野縁受ナット４２は、野縁受ネジ４０にフランジ２８を固定する。野縁受ネジ４０は本体３８に支持されているので、本体３８は、野縁受ネジ４０を介して野縁受２４を支持する。
【００５０】
以上で説明したように、天井下地材２０は野縁２５に固定され、野縁２５は野縁受２４に固定され、野縁受２４は中間天井吊り金具２３に支持され、中間天井吊り金具２３はＨ形梁２１に固定されている。このようにして、天井下地材２０がＣ形梁２２を介することなくＨ形梁２１に支持される構造部分における第１中間構造部分１３が構成されている。
【００５１】
次に、第１中間構造部分１３において、天井下地材２０がＣ形梁２２を介してＨ形梁２１に支持される構造部分が、説明される。この構造部分では、図５から図７に示されるように、第１中間構造部分１３は、Ｈ形梁２１（図５）と、Ｈ形梁２１に固定されたＣ形梁２２（図６、図７）と、Ｃ形梁２２に固定された中間天井吊り金具２３と、中間天井吊り金具２３に固定された野縁受２４と、野縁受２４及び天井下地材２０に固定された野縁２５と、を備えている。
【００５２】
図５から図７に示されるように、Ｃ形梁２２は、長手のＣ形鋼である。Ｃ形梁２２は、２つのフランジ５８と、ウェブ５９と、２つのリップ６３と、を備えている。２つのフランジ５８は、長手方向に沿って延びる平行な板状部分である。ウェブ５９は、長手方向に沿って延び且つ２つのフランジ５８の一端部同士を連結する。各リップ６３は、各フランジ５８の他端部からウェブ５９と平行に延びている。２つのリップ６３同士は、互いに接近する向きに延びている。
【００５３】
図５に示されるように、第１中間構造部分１３は、Ｈ形梁２１にＣ形梁２２を連結する連結金具６０を備えている。連結金具６０は、板状の第１取付部６１及び板状の第２取付部６２を備えている。第２取付部６２は第１取付部６１の端部から第１取付部６１と直交する向きに延びている。第１取付部６１及び第２取付部６２を合わせた連結金具６０の全体形状はＬ字状である。第１取付部６１は、Ｈ形梁２１のウェブ２７に固定されている。第２取付部６２は、Ｃ形梁２２のウェブ５９に固定されている。
【００５４】
Ｃ形梁２２は、２つの対向するＨ形梁２１の間に配置され、各Ｈ形梁２１に連結金具６０を介して固定されている。Ｃ形梁２２は、当該Ｃ形梁２２が固定されたＨ形梁２１に対して直交する方向に延びている。
【００５５】
中間天井吊り金具２３は、Ｃ形梁２２に以下のようにして固定されている。固定溝４７の水平溝４８の上下方向７における幅はＣ形梁２２のリップ６３の上下方向７における幅よりも大きく、固定溝４７の水平溝４８内に、リップ６３及びフランジ５８が挿入可能である。また、固定溝４７の鉛直溝４９の上下方向７における幅はＣ形梁２２のリップ６３の上下方向７における幅よりも大きい。さらに、鉛直溝４９の第１水平方向８における幅は、リップ６３の第１水平方向８における幅よりも大きい。そのため、リップ６３は鉛直溝４９内に挿入可能である。
【００５６】
リップ６３は、第１水平方向８の一方向き８Ａに位置する一方面６３ａと、他方向き８Ｂに位置する他方面６３ｂと、を有する。リップ６３は、例えば、リップ６３の他方面６３ｂが鉛直溝４９の他方面４９ａに当接する位置まで、固定溝４７内に挿入される。このとき、当然ながらフランジ５８は水平溝４８内に挿入されている。この状態で、梁ネジ３９が水平部４３の梁ネジ孔４５に取り付けられて締め付けられることで、梁ネジ３９の軸部５２の上面がフランジ５８の下面に当接する。フランジ５８の上面が水平溝４８の上面に当接するまで梁ネジ３９が締め付けられる。このようにして、梁ネジ３９は、水平溝４８と協働して、本体３８にＣ形梁２２を固定する。
【００５７】
天井下地材２０は野縁２５に固定され、野縁２５は野縁受２４に固定され、野縁受２４は中間天井吊り金具２３に支持され、中間天井吊り金具２３はＨ形梁２１に固定されている。このようにして、天井下地材２０がＣ形梁２２を介してＨ形梁２１に支持される構造部分における第１中間構造部分１３が構成されている。
【００５８】
第２中間構造部分１４も、第１中間構造部分１３と同様の構成を有している。そのため、第２中間構造部分１４に関する説明は省略される。
【００５９】
図８から図１３を参照して、最上構造部分１５が説明される。最上構造部分１５は、Ｈ形梁２１（図８、図９、図１１）と、Ｃ形梁２２（図１１から図１３）と、を備えている。最上構造部分１５も、第１中間構造部分１３と同様に、天井下地材２０がＣ形梁２２を介することなくＨ形梁２１に支持される構造部分と、天井下地材２０がＣ形梁２２を介してＨ形梁２１に支持される構造部分と、を有している。また、最上構造部分１５は、第１中間構造部分１３に用いられている中間天井吊り金具２３の代わりに、最上天井吊り金具６４を備えている。
【００６０】
まず、最上構造部分１５において、天井下地材２０がＣ形梁２２を介することなくＨ形梁２１に支持される構造部分が、説明される。この構造部分では、図８、図９に示されるように、最上構造部分１５は、Ｈ形梁２１と、Ｈ形梁２１に固定された最上天井吊り金具６４と、最上天井吊り金具６４に固定された野縁受２４と、野縁受２４及び天井下地材２０に固定された野縁２５と、を備えている。
【００６１】
図８から図１０に示されるように、最上天井吊り金具６４は、本体３８、梁ネジ３９、野縁受ネジ４０、２つの野縁受ナット７７、及び２つの野縁受ナット４２を備えている。最上天井吊り金具６４は、中間天井吊り金具２３が有する防振ゴム部材５４を有しない。
【００６２】
本体６５は、第１水平部６６（第１板状部、水平部の一例）、第２水平部６７（第１板状部、水平部の一例）、第３水平部６８（第１板状部、水平部の一例）、第１鉛直部６９（第２板状部、鉛直部の一例）、及び第２鉛直部７０（第２板状部、鉛直部の一例）を有している。
【００６３】
第１水平部６６、第２水平部６７、及び第３水平部６８はいずれも、矩形の板状部分であり、第１水平方向８（第１方向の一例）に沿って延びている。第１水平部６６、第２水平部６７、及び第３水平部６８は互いに平行である。上方から下方に向けて、第１水平部６６、第３水平部６８、及び第２水平部６７が順に配置されている。第１水平部６６及び第３水平部６８は、第２水平部６７よりも第１水平方向８の他方向き８Ｂに延びている。第１水平部６６、第２水平部６７、及び第３水平部６８の間で、第１水平方向８の一方向き８Ａにおける端面の位置は、同一である。第１水平部６６は、上下方向７に延びる野縁受孔７１を有している。第２水平部６７は、上下方向７に延びる梁ネジ孔７２を有している。第３水平部６８は、上下方向７に延びる野縁受孔７３を有している。２つの野縁受孔７１、７３は上下方向７から視て重複する位置にある。野縁受ネジ４０は、２つの野縁受孔７１、７３を挿通可能である。梁ネジ孔７２の内周面にはネジが形成されており、梁ネジ孔７２には梁ネジ３９が螺合可能である。梁ネジ孔７２と、２つの野縁受孔７１、７３とは、第１水平方向８に沿って離間して位置している。
【００６４】
第１鉛直部６９及び第２鉛直部７０はいずれも、矩形状の板状部分である。第１鉛直部６９は、上下方向７（第２方向の一例）に延び、第１水平部６６の第２水平方向９の一端部と第２水平部６７の第２水平方向９の一端部とを接続している。第２鉛直部７０は、上下方向７（第２方向の一例）に延び、第１水平部６６の第２水平方向９の他端部と第２水平部６７の第２水平方向９の他端部とを接続している。第１鉛直部６９及び第２鉛直部７０はそれぞれ、第１水平方向８の一方向き８Ａに開口する固定溝７４を有している。第１鉛直部６９及び第２鉛直部７０において、少なくとも水平溝７５がある高さ位置より下方では、野縁受孔７１、７３の下方の領域が切り欠かれて、空間が形成されている。
【００６５】
第１水平方向８の一方向き８Ａに向かって視て、第１水平部６６、第１鉛直部６９、第２水平部６７、第２鉛直部７０、及び第３水平部６８が順に右回りに接続されている。第１水平部６６に第３水平部６８が重ねられている。本体６５は、第１水平方向８から視て閉じるように構成されているので、本体６５が開かれて構成されている場合と比べて、本体６５の剛性が強化されている。
【００６６】
図１０に示されるように、固定溝７４は、水平溝７５（第１溝の一例）及び鉛直溝７６（第２溝の一例）を有している。水平溝７５は、第１水平方向８に延びている。水平溝７５は、第１水平方向８の一方向き８Ａに第１鉛直部６９又は第２鉛直部７０の外部へ開口している。鉛直溝７６は、上下方向７に延びている。鉛直溝７６は、水平溝７５に開口しており、すなわち水平溝７５につながっている。鉛直溝７６は、水平溝７５の第１水平方向８の他方向き８Ｂの端部から、上方に形成されている。第２水平方向９から視て、水平溝７５及び鉛直溝７６が合わせられた固定溝７４の全体形状は、Ｌ字状である。
【００６７】
水平溝７５は、端面７５ａ、上面７５ｂ、及び下面７５ｄを有する。端面７５ａは、第１水平方向８において一方向き８Ａと反対の他方向き８Ｂに位置し、上下方向７に延びる面である。上面７５ｂ及び下面７５ｄは、それぞれ、第１水平方向８に延び且つ上下方向７において対向する面である。
【００６８】
鉛直溝７６は、他方面７６ａ、一方面７６ｂ、及び端面７６ｃを有する。他方面７６ａ及び一方面７６ｂは、上下方向７に延び且つ第１水平方向８において対向する面である。他方面７６ａは鉛直溝７６の他方向き８Ｂに位置し、一方面４９ｂは鉛直溝７６の一方向き８Ａに位置する。
【００６９】
第２水平部６７の梁ネジ孔７２は、第１水平方向８において固定溝７４と重なる位置にある。一方、第１水平部６６の野縁受孔７１及び第３水平部６８の野縁受孔７３は、固定溝７４よりも第１水平方向８の他方向き８Ｂに離れた位置にある。つまり、梁ネジ孔７２に螺合した梁ネジ３９は、第１水平方向８において固定溝７４と重なる位置にあるが、野縁受孔７１、７３に螺合した野縁受ネジ４０は、第１水平方向８において固定溝７４と重なる位置にない。第１水平部６６及び第３野縁受孔７１、７３は、水平溝７５の上面７５ｂよりも高い位置にある。
【００７０】
図８に示されるように、１つの野縁受ナット７７が第１水平部６６の上方に位置し、１つの野縁受ナット７７が第３水平部６８の下方に位置している。野縁受ネジ４０が第１水平部６６の野縁受孔７１及び第３水平部６８の野縁受孔７３に挿通されている。上方の野縁受ナット７７は第１水平部６６の上面に当接するまで締め付けられ、下方の野縁受ナット７７は第３水平部６８の下面に当接するまで締め付けられている。このようにして、２つの野縁受ナット７７は、野縁受ネジ４０を本体６５に固定している。
【００７１】
図８、図９に示されるように、最上天井吊り金具６４は、Ｈ形梁２１に固定され、野縁受２４を支持している。
【００７２】
最上天井吊り金具６４は、Ｈ形梁２１に以下のようにして固定されている。上下方向７において、固定溝７４の水平溝７５の幅はＨ形梁２１のフランジ２６の幅よりも大きく、水平溝７５内に、Ｈ形梁２１のフランジ２６が挿入可能である。フランジ２６は、例えば、固定溝４７の第１水平方向８の端面７５ａに当接する位置まで、水平溝７５内に挿入される。この状態で、梁ネジ３９が第２水平部６７の梁ネジ孔４５に取り付けられて締め付けられることで、梁ネジ３９の軸部５２の上面がフランジ２６の下面に当接する。フランジ２６の上面が水平溝７５の上面に当接するまで梁ネジ３９が締め付けられる。このようにして、梁ネジ３９は、水平溝７５と協働して、本体６５にＨ形梁２１を固定する。
【００７３】
最上天井吊り金具６４において、２つの野縁受ナット４２は、野縁受ネジ４０に野縁受２４のフランジ２８を固定する。野縁受ネジ４０は本体６５に固定されているので、本体６５は、野縁受ネジ４０を介して野縁受２４を支持する。
【００７４】
次に、最上構造部分１５において、天井下地材２０がＣ形梁２２を介してＨ形梁２１に支持される構造部分が、説明される。この構造部分では、図１１から図１３に示されるように、最上構造部分１５は、Ｈ形梁２１（図１１）と、Ｈ形梁２１に固定されたＣ形梁２２（図１２、図１３）と、Ｃ形梁２２に固定された最上天井吊り金具６４と、最上天井吊り金具６４に固定された野縁受２４と、野縁受２４及び天井下地材２０に固定された野縁２５と、を備えている。
【００７５】
最上天井吊り金具６４は、Ｃ形梁２２に以下のようにして固定されている。固定溝７４の水平溝７５の上下方向７における幅は、Ｃ形梁２２のリップ６３の上下方向７における幅よりも大きく、固定溝７４の水平溝７５内に、リップ６３及びフランジ５８が挿入可能である。また、固定溝７４の鉛直溝７６の上下方向７における幅は、Ｃ形梁２２のリップ６３の上下方向７における幅よりも大きい。さらに、鉛直溝７６の第１水平方向８における幅は、リップ６３の第１水平方向８における幅よりも大きい。そのため、リップ６３は鉛直溝７６内に挿入可能である。
【００７６】
リップ６３は、例えば、リップ６３の他方面６３ｂが鉛直溝７６の第１水平方向８の他方向き８Ｂの他方面７６ａに当接する位置まで、固定溝７４内に挿入される。なお、固定溝７４の全体形状はＬ字状であるので、鉛直溝７６の他方面７６ａは、水平溝７５の端面７５ａと面一である。このとき、当然ながらフランジ５８は水平溝７５内に挿入されている。この状態で、梁ネジ３９が第２水平部６７の梁ネジ孔７２に取り付けられて締め付けられることで、梁ネジ３９の軸部５２の上面がフランジ５８の下面に当接する。フランジ５８の上面が水平溝７５の上面に当接するまで梁ネジ３９が締め付けられる。このようにして、梁ネジ３９は、水平溝７５と協働して、本体６５にＣ形梁２２を固定する。
【００７７】
天井下地材２０は野縁２５に固定され、野縁２５は野縁受２４に固定され、野縁受２４は最上天井吊り金具６４に支持され、最上天井吊り金具６４はＨ形梁２１に固定されている。このようにして、天井下地材２０がＣ形梁２２を介してＨ形梁２１に支持される構造部分における最上構造部分１５が構成されている。
【００７８】
図１４、図１５を参照して、第１中間構造部分においてＨ形梁２１及びＣ形梁２２が直列に配置された構造部分が説明される。
【００７９】
第１中間構造部分は、複数のＨ形梁２１を有しており、一のＨ形梁２１に他のＨ形梁２１が直交して固定された構造部分を含んでいる。また、上述したように、Ｃ形梁２２は、いずれかのＨ形梁に直交して固定されている。そのため、第１中間構造部分は、図１４に示されるように、Ｈ形梁２１及びＣ形梁２２が直列に配置された構造部分を含んでいる。
【００８０】
図１４には、Ｈ形梁２１及びＣ形梁２２が直列に配置された構造部分において、Ｈ形梁２１及びＣ形梁２２の双方に同一の野縁受２４が支持される場合が示されている。
【００８１】
図１５には、図１４の場合におけるＨ形梁２１、Ｃ形梁２２、及び中間天井吊り金具２３の第１水平方向８における位置関係が示されている。離間距離１０２は、第１水平方向８におけるＣ形梁２２のリップ６３の端面と第１水平方向８におけるＨ形梁２１のフランジ２６の端面との離間距離である。本実施形態では、離間距離１０２は、水平溝４８が鉛直溝４９を第１水平方向８において超えた所定距離１０１と同一である。離間距離１０２は、所定距離１０１よりも小さくてもよい。
【００８２】
［本実施形態の作用効果］
本実施形態に係る多階層建物の躯体構造１００によれば、鉛直部４４が水平溝４８及び鉛直溝４９を有するので、Ｈ形梁２１のフランジ２６及びＣ形梁２２のフランジ５８及びリップ６３が水平溝４８内に挿入可能であり、Ｃ形梁２２のリップ６３が鉛直溝４９内に挿入可能である。そのため、中間天井吊り金具２３は、Ｈ形梁２１及びＣ形梁２２のいずれにも固定可能である。同様に、第１鉛直部６９及び第２鉛直部７０がそれぞれ水平溝７５及び鉛直溝７６を有するので、最上天井吊り金具６４は、Ｈ形梁２１及びＣ形梁２２のいずれにも固定可能である。Ｈ形梁用の中間天井吊り金具２３及びＣ形梁用の中間天井吊り金具２３を併存させる必要がないので、天井吊り金具の取付作業の複雑化が防止される。同様に、Ｈ形梁用の最上天井吊り金具６４及びＣ形梁用の最上天井吊り金具６４を併存させる必要もない。また、天井及び床を支持する中間構造部分に設けられた中間天井吊り金具２３が防振ゴム部材５４を備えるので、防振ゴム部材５４により、床に加えられた振動が低減され、この振動の天井への伝達が抑制される。
【００８３】
また、最上天井吊り金具６４において、第１水平部６６、第１鉛直部６９、第２水平部６７、第２鉛直部７０、及び第３水平部６８が順に接続され、第１水平部６６に第３水平部６８が重ねられているので、板状に構成された最上天井吊り金具６４の剛性が強化されている。天井下地材２０を支持するのに要する剛性を失うことなく最上天井吊り金具６４の高さが低減されるので、最上構造部分１５の高さの増大が抑制される。
【００８４】
また、中間天井吊り金具２３の鉛直部４４の表面には、凹部５１及び凸部５０が形成されているので、中間天井吊り金具２３の剛性が強化されている。そのため、天井下地材２０を支持するのに要する剛性を失うことなく中間天井吊り金具２３の構造の複雑化が抑制される。
【００８５】
また、中間天井吊り金具２３において、水平溝４８は、第１水平方向８において鉛直溝４９を所定距離１０１だけ超えて形成されているので、Ｈ形梁２１のフランジ２６の端面が水平溝４８に当接する位置と、Ｃ形梁２２のリップ６３の表面が鉛直溝４９に当たる位置とが異なっている。そのため、同一の野縁受２４が中間天井吊り金具２３を介して直列に配置されたＨ形梁２１及びＣ形梁２２に支持される場合に、Ｃ形梁２２のリップ６３の端面がＨ形梁２１のフランジ２６の端面から離れていても、この離間距離１０２に合わせて所定距離１０１を設定することで、同一種類の中間天井吊り金具２３により無理なく野縁受２４がＨ形梁２１及びＣ形梁２２の双方に支持される。
【００８６】
また、中間天井吊り金具２３において、水平溝４８が鉛直溝４９を超えた所定距離１０１が、直列に配置されたＣ形梁２２及びＨ形梁２１の端面間の離間距離１０２と同一又は当該離間距離１０２よりも小さい。ここで、中間天井吊り金具２３のＣ形梁２２に対する取付位置は、鉛直溝４９の第１水平方向８における幅内に限定され、中間天井吊り金具２３のＨ形梁２１に対する取付位置は、水平溝４８の第１水平方向８における幅内に限定される。中間天井吊り金具２３のＨ形梁２１に対する取付位置は、第１水平方向８の一方向き８Ａには梁ネジ孔４５から外れない範囲で自由に変更でき、第１水平方向８の他方向き８Ｂには所定距離１０１の範囲内で自由に変更できる。離間距離１０２が所定距離１０１と同一または当該所定距離１０１よりも小さいので、中間天井吊り金具２３のＨ形梁２１に対する取付位置を変更することにより、Ｃ形梁２２に固定された中間天井吊り金具２３の位置とＨ形梁２１に固定された中間天井吊り金具２３の位置とが第１水平方向８において揃えられる。Ｃ形梁２２に固定された中間天井吊り金具２３の位置とＨ形梁２１に固定された中間天井吊り金具２３の位置とが第１水平方向８において揃うと、同一の野縁受２４がＣ形梁２２に固定された中間天井吊り金具２３とＨ形梁２１に固定された中間天井吊り金具２３との双方に歪み無く取り付けられる。そのため、同一種類の中間天井吊り金具２３により無理なく野縁受２４がＨ形梁２１及びＣ形梁２２の双方に支持されうる。
【００８７】
最上天井吊り金具６４では、梁ネジ孔７２が第２水平部６７に形成されているのに対して、野縁受孔７１、７３はそれぞれ第１水平部６６及び第３水平部６８に形成されている。また、水平溝７５は、第１鉛直部６９及び第２鉛直部７０に形成されている。この水平溝７５にはＨ形梁２１のフランジ２６又はＣ形梁２２のフランジ５８が取り付けられ、フランジ２６、５８の上面は水平溝７５の上面７５ｂに当接する。第１水平部６６及び第３野縁受孔７１、７３は、水平溝７５の上面７５ｂよりも高い位置にある。また、水平溝７５がある高さ位置及び水平溝７５よりも下方の高さ位置において、当該水平溝７５が形成された第１鉛直部６９及び第２鉛直部７０は、野縁受孔７１、７３よりも第１水平方向８の一方向き８Ａに離間して位置している。そのため、図８に示されるように、野縁受２４及び野縁受ナット４２が野縁受孔７１、７３に接近した位置に配置されても、野縁受２４及び野縁受ナット４２が、最上天井吊り金具６４と干渉することが防止されている。したがって、最上天井吊り金具６４に固定されたフランジ２６と野縁受２４との上下方向７における距離が、中間天井吊り金具２３の場合よりも短縮できる。その結果、最上構造部分１５の上下方向７における幅が、第１中間構造部分１３の上下方向７における幅よりも短縮できる。
【００８８】
［変形例］
以上、本発明の実施の形態を詳細に説明してきたが、前述までの説明はあらゆる点において本発明の例示に過ぎない。本発明の範囲を逸脱することなく種々の改良や変形を行うことができることは言うまでもない。本実施形態に係る躯体構造１００の各構成要素に関して、実施の形態に応じて、適宜、構成要素の省略、置換、及び追加が行われてもよい。また、上記躯体構造１００の各構成要素の形状及び大きさも、実施の形態に応じて、適宜、設定されてよい。例えば、以下の変更が可能である。
【００８９】
本実施形態では、第１中間構造部分１３及び第２中間構造部分１４に中間天井吊り金具２３が設けられ、最上構造部分１５に最上天井吊り金具６４が設けられている。同一の天井吊り金具が、第１中間構造部分１３、第２中間構造部分１４、及び最上構造部分１５に設けられてもよい。
【００９０】
本実施形態では、最上天井吊り金具６４の固定溝７４の形状はＬ字形状であるが、中間天井吊り金具２３の固定溝４７の形状と同様に、逆Ｔ字形状であってもよい。
【００９１】
本実施形態では、中間天井吊り金具２３は、２つの鉛直部４４が水平部４３の両端部にそれぞれ接続された開かれた構造を有するのに対して、最上天井吊り金具６４は、第１水平部６６、第１鉛直部６９、第２水平部６７、第２鉛直部７０、及び第３水平部６８が順に接続された閉じられた構造を有している。中間天井吊り金具２３が閉じられた構造を有してもよく、最上天井吊り金具６４が開かれた構造を有してもよい。
【符号の説明】
【００９２】
１３・・・第１中間構造部分
１４・・・第２中間構造部分
１５・・・最上構造部分
２０・・・天井下地材
２１・・・Ｈ形梁
２２・・・Ｃ形梁
２３・・・中間天井吊り金具
２４・・・野縁受
２５・・・野縁
２６・・・（Ｈ形梁の）フランジ
２７・・・（Ｈ形梁の）ウェブ
３８・・・（中間天井吊り金具の）本体
３９・・・梁ネジ
４０・・・野縁受ネジ
４１、４２・・・（中間天井吊り金具の）野縁受ナット
４３・・・（中間天井吊り金具の）水平部
４４・・・（中間天井吊り金具の）鉛直部
４５・・・（中間天井吊り金具の）梁ネジ孔
４６・・・（中間天井吊り金具の）野縁受孔
４７・・・（中間天井吊り金具の）固定溝
４８・・・（中間天井吊り金具の）水平溝
４９・・・（中間天井吊り金具の）鉛直溝
５０・・・凸部（凹凸の一部）
５１・・・凹部（凹凸の一部）
５４・・・防振ゴム部材
５８・・・（Ｃ形梁の）フランジ
５９・・・（Ｃ形梁の）ウェブ
６３・・・（Ｃ形梁の）リップ
６４・・・最上天井吊り金具
６５・・・（最上天井吊り金具の）本体
６６・・・第１水平部
６７・・・第２水平部
６８・・・第３水平部
６９・・・第１鉛直部
７０・・・第２鉛直部
７１・・・（最上天井吊り金具の）野縁受孔
７２・・・（最上天井吊り金具の）梁ネジ孔
７３・・・（最上天井吊り金具の）野縁受孔
７４・・・（最上天井吊り金具の）固定溝
７５・・・（最上天井吊り金具の）水平溝
７６・・・（最上天井吊り金具の）鉛直溝
７７・・・（最上天井吊り金具の）野縁受ナット
１００・・・躯体構造
１０１・・・所定距離
１０２・・・離間距離
【図１】
2018119326.tif 000003
【図２】
2018119326.tif 000004
【図３】
2018119326.tif 000005
【図４】
2018119326.tif 000006
【図５】
2018119326.tif 000007
【図６】
2018119326.tif 000008
【図７】
2018119326.tif 000009
【図８】
2018119326.tif 000010
【図９】
2018119326.tif 000011
【図１０】
2018119326.tif 000012
【図１１】
2018119326.tif 000013
【図１２】
2018119326.tif 000014
【図１３】
2018119326.tif 000015
【図１４】
2018119326.tif 000016
【図１５】
2018119326.tif 000017